(57)【要約】【課題】  架設被覆電線を建物等の構造物に引留め固定するための電線引留金具に関して、各電線を建物などの構造物に引きとめるのに軽量で、引留作業を簡単に実施することのできるような被覆電線引留め具を提供する。【解決手段】  線状体より形成されて一方側に被覆電線の外径よりも小さい螺旋内径を有する螺旋体の電線把持部と他方側の折返し係止部とから成る電線保持具と、該電線保持具の係止部に係合するために別体の線状体より形成された引留めフックと、から成る被覆電線引留金具であり、架設被覆電線に電線把持部の螺旋体を巻きつけて、引留めフックを、構造物に固定の留め具に係止して、当該被覆電線を構造物に引留める。被覆電線引留金具は、上記の折返し係止部と引留めフックのフック折返し部との間に嵌め具を介在させる。【選択図】  図６
2006187141.tif 000002
【特許請求の範囲】
【請求項１】
線状体より形成されて一方側に被覆電線の外径よりも小さい螺旋内径を有する螺旋体の電線把持部と他方側の折返し係止部とから成る電線保持具と、該電線保持具の折返し係止部に係合するために別体の線状体より形成された引留めフックと、から成る被覆電線引留金具であって、
架設すべき被覆電線に電線把持部の螺旋体を巻きつけて、引留めフックを、構造物に固定の留め具に係止して、当該被覆電線を構造物に引留めるようにした被覆電線引留金具。
【請求項２】
電線把持部は、該螺旋体が、電線把持部から折返された線状体の両方に繋がる２条の螺旋体であることを特徴とする請求項１に記載の被覆電線引留金具。
【請求項３】
引留めフックが、一端が電線保持具の電線把持部に係合し、他端が構造物の固定係止具に係合するように、両端にフック折返し部を有する長円の環状体であることを特徴とする請求項１又は２に記載の被覆電線引留金具。
【請求項４】
被覆電線引留金具は、上記の折返し係止部と引留めフックのフック折返し部との間に介在させる嵌め具を含む請求項１又は２に記載の被覆電線引留金具。
【請求項５】
上記の嵌め具は、該電線保持具の折返し係止部が絶縁体外周に嵌合する外径を有し、絶縁体内側に引留めフックのフック折返し部が貫通する貫通孔を有する絶縁体であることを特徴とする請求項４に記載の被覆電線引留金具。
【請求項６】
上記の嵌め具が、該折返し係止部に沿って配置されることを特徴とする請求項４に記載の被覆電線引留金具。
【請求項７】
該絶縁体が、ポリマー又はセラミックスから成ることを特徴とする請求項４ないし６の何れかに記載の被覆電線引留金具。
【発明の詳細な説明】
【技術分野】
【０００１】
本発明は、架設被覆電線を建物等の構造物に引留め固定するための電線引留金具に関する。
【背景技術】
【０００２】
電柱間に張り渡される被覆電線を建物内などに引込むために、引留め具が利用されている。従来の引留め具は、建物の、例えば、外壁などから碍子が引留められ、この碍子に突出形成した突起部に、電柱などに架設されている被覆電線の途中の各線を巻きつけて、碍子と電線とを紐などで縛って電線を固定し、被覆電線を建物内に導入するものが知られていた。
【０００３】
また、別の公知の引留め金具は、板状の碍子板に縁に切り欠いた複数の貫通孔を開けて、複数の貫通孔に架設被覆電線の途中を続けて通して、引留め碍子が電線の引張を支持するものであり、外れ防止のために紐により縛っていた。
【発明の開示】
【発明が解決しようとする課題】
【０００４】
上記の引留め具は、絶縁材碍子を使用するために被覆電線の絶縁と固定にはよいのであるが、絶縁碍子が嵩高で、重くなり、しかも、引留め作業には、電線を碍子に固定するために紐で縛るなどの手作業が必要で、これが煩雑であり、作業を不能率にしていた。
さらに、近年は、一般電力需要家が増加すると共に、供給電力規模が小口化され、電柱ないし建物を利用した電線の引き込み工事が増加しており、電線引留め作業の省力化を図る必要があった。
【０００５】
本発明は、各電線を建物や専用支柱などの構造物に引きとめるため、引留作業を簡単に実施することのできるような軽量で且つ単純形状の被覆電線引留金具を提供しようとするものである。
【課題を解決するための手段】
【０００６】
本発明の被覆電線引留金具は、架設被覆電線を構造物に引きとめるためのものであって、電線引留金具は、電線を把持するための電線保持具と、該電線保持具を係合して建物に係止する引留めフックとから成っている。
電線保持具は、線状体より形成されて一方側に被覆電線の外径よりも小さい螺旋内径を有する螺旋体の電線把持部と他方側に折返し形成した折返し係止部とから成っている。
【０００７】
他方の引留めフックは、線状体を折返して形成したフック折返し部を両側に有し、いずれかのフック折返し部により電線保持具の係止部を係止して、他方のフック折返し部が構造物に固定されることを特徴としている。
引留めフックが、両端にフック折返し部を有する長円の環状体であり、一端に電線把持部の電線把持部に係合し、他端が構造物の固定フックに係合するようにされている。
【発明の効果】
【０００８】
このような構成の電線保持具は、その螺旋体を被覆電線に巻きつけるだけで、引留めフックを介して、建物などに固定できる。この状態では、被覆電線の引張に対しては、引張による摩擦力により螺旋体の締め付け力が生じ、これにより螺旋体が被覆電線を支持することができる。
引留めフックは、建物などに固定した適当な固定係止具にそのまま引っ掛けて、電線保持具を固定させ、建物などの所望位置に電線を引きこむことができる。
【発明を実施するための最良の形態】
【０００９】
本発明の電線引留金具を構成する電線保持具１は、線状体１０から形成されて、線状体の一方側には螺旋状に形成された電線把持部１１と、他方側は、折返し形成した折返し係止部１２が形成されている。
【００１０】
電線保持具１の電線把持部１１は、図１に示すように、線状体から、把持固定しようとする被覆電線の外径よりも小さい螺旋内径を有する螺旋体に形成される。通常は、図１（Ａ）に示すように、折返し係止部１２により折返された線状体の両方に螺旋形成され、一対の電線把持部１１、１１がある。
また、図１（Ｂ）のように、折返し係止部１２から折返した片方の線状体１０だけに螺旋体を形成して、電線把持部１１としてもよい。このような片側だけの電線把持部１１は、架設のされたときの引張力の小さい被覆電線を保持するのに利用することができる。
【００１１】
電線保持具１に使用する線状体１０は、螺旋体を加工形成できて、引張に対して強度を有する材料が利用でき、好ましくは、硬質の金属線、特に、硬鋼線が選ばれる。このような線状体１０は、特に、耐候性に優れた線材がよく、例えば、亜鉛引き硬鋼線やステンレス鋼線が利用される。
【００１２】
電線保持具１は、後述のように引留めフック２を折返し係止部１２に係合して、接続されるが、電線保持具の折返し係止部１２に嵌め具３を介在させて、引留めフック２を係合するのがよい。
嵌め具３は、特に好ましくは、絶縁体により形成され、電線保持具１の折返し係止部１２と、後述の引留めフック２とが直接に接触しないように電気的に絶縁され且つ機械的に引張力に耐える構造のものが利用される。絶縁体には、ポリマー又はセラミックスが利用できる。
【００１３】
嵌め具３の例として、図２には、ディスク状絶縁体が利用され、外周に周溝３７を円周方向に有し、ディスク中心に表裏に貫通する貫通孔３８を有している。
このようなディスク状嵌め具３１は、セラミックやガラスから、別体に製造される。
【００１４】
図２に示すように、このようなディスク状絶縁体は、絶縁体外周の周溝３７に、電線保持具１の折返し係止部１２の線状体が嵌合する。貫通孔３８には、図４に示すように、絶縁体内側に引留めフック２の線状体２０が貫通して、電線保持具１と引留めフック２とを接続する。
尤も、逆にして、引留めフック２のフック折返し部２２ないし環状部をディスク外周の溝３７に嵌め入れ、電線保持具１の折返し係止部１２をディスクの貫通孔３８に通して、接続するようにしてもよい。
【００１５】
図３には、別の形態の嵌め具が示してあるが、図３（Ａ、Ｂ）に示す例は、嵌め具３が、Ｕ字型ないし馬蹄形を有し、このＵ字状嵌め具３２は、電線保持具１の折返し係止部１２とその近傍の直線部１３を包んで一体化されている。Ｕ字状嵌め具３２の両側部３３、３３の間の凹部３９が、引留めフック２のフック折返し部２２と係止する係止部として利用される（図５（Ａ）参照）。
【００１６】
このようなＵ字状嵌め具３２は、好ましくは、絶縁材料として、合成樹脂等のポリマー材料が利用できる。合成樹脂により、電線保持具の折返し部を鋳包み成形して、その断面を図３（Ｃ）に示すように、合成樹脂が線状体の周囲を覆っている。これにより、絶縁性樹脂の嵌め具とする。合成樹脂は、絶縁性と適度の強度と共に、耐候性を有する合成樹脂が好ましい。
【００１７】
引留めフック２は、線状体２０から形成され、両側に折返したフック折返し部２２、２３を有する環状にされている。引留めフックは、環状であれば閉環状でも開環状でもよく，円環でなくても、長円状の環であってもよく、さらに、図４と図５に示すように、両側のフック折返し部２２、２３が長円の環状体を適当な角度でねじった形状でもよい。
【００１８】
引留めフック２に使用する線状体２０は、硬質の金属線、特に、硬鋼線が選ばれ、特に、耐候性に優れた線材がよい、例えば、亜鉛引き硬鋼線やステンレス鋼線が利用される。
【００１９】
図４と図５には、上記の電線保持具と嵌め具と引留めフックとの組み合わせによる被覆電線引留金具の例を示している。
図４に示す被覆電線引留金具は、硬質線材から形成した一対の電線把持部１１、１１を備えた電線保持具１の折返し係止部１２に、嵌め具３としてディスク状嵌め具１２の絶縁体の周溝３７を嵌めこみ、他方、長円環状のフック２のフック折返し部２２を、ディスク状の絶縁体の中心の貫通孔３８に、挿通したものである。
【００２０】
図５（Ａ）と同（Ｂ）の被覆電線引留金具は、それぞれ、図２（Ａ）と同（Ｂ）に示したＵ字状の嵌め具の内側の凹部３９に、引留めフック２を、そのフック折返し部２２が嵌り込むように、結合されている。
【００２１】
図５（Ｃ）は、図５（Ａ）の被覆電線引留金具の変形例であるが、Ｕ字状嵌め具３２の両側部３３、３３の内側にフック外れ防止のための突起部３５を形成した例を示している、嵌め具３の上記凹部３９に嵌入れた引留めフック２のフック折返し部２２が、突起部３５により遮られて容易に外れないようにしてある。これにより、被覆電線の引留め作業中で、被覆電線引留金具の弛みなどにより、一旦組立てた引留めフック２が嵌め具３から外れるなどの不都合が防止できる。
【００２２】
使用に際しては、図６（Ａ）に示すように、建物などの構造物の外面５０に、構造物側の固定係止具として固定フック５が固定されており、被覆電線引留金具は、電線保持具１の電線把持部１１の螺旋体を、屋外に装架された被覆電線６の途中部分に巻き付けて、他方の引留めフック２を上記固定フック５に掛けて、構造物に引留められる。この際、被覆電線６には適度の弛度を持って、電線保持具１の螺旋体と被覆電線６との間に適度の張力を保持する用に調節され、これにより、電線把持部１１の螺旋体が、被覆電線６を滑ることなく確実に固定する。他方、引留められた被覆電線６の先側は、完全に弛んだ状態にしてもよく、被覆電線は建物などに引き入れることができる。
【００２３】
図６（Ｂ）は、建物などの構造物５０に、１個の固定フック５を固定して、この固定フックに、図６（Ａ）に示した被覆電線引留金具を２個引っ掛け、それぞれ、電線保持具１の電線把持部の螺旋体が被覆電線６を把持するようにして、２本の被覆電線を引留めるようにしてある。このようにし、１個の固定フックに対して、適宜の数の被覆電線引留金具を係止することにより、複数の被覆電線を簡単に引き留めることができる。
【産業上の利用可能性】
【００２４】
本発明の被覆電線引留金具は、装架される屋外被覆電線を螺旋体が把持して固定する電線保持具と、電線保持具を接続して建物に引留めるための引留めフックとから成るので、引留め作業の際には、特別の工具を使用することなく、電線保持具の螺旋体を被覆電線に巻付ける作業と、引留めフックを、構造物の固定係止具などに引っ掛ける作業だけで、電線引留め作業が簡単に完了でき、電柱及び建物など構造物での引留め工事の簡素化と省力化が図れる。
【００２５】
電線保持具と引留めフックとの間に嵌め具を介在させて、引留めフックや電線保持具の線状体のフックや折返しによる折り曲げによる折損を防止することができ、さらに、嵌め具を絶縁体とすることにより、被覆電線からの漏電を防止することができる。
【００２６】
特に、嵌め具を、電線保持具の折返し部を被覆するように合成樹脂で成形すれば、嵌め具が軽量であり、嵌め具と電線保持具とが一体化されるので、引留め工事の際の嵌め具の取り付けが不要となり、作業の簡素化に一層寄与することができる。
【図面の簡単な説明】
【００２７】
【図１】本発明の実施例に係る被覆電線引留金具に使用する電線保持具を示す図（Ａ、Ｂ）。
【図２】本発明の実施例に係る被覆電線引留金具に使用する電線保持具と把持具の組み合わせを示す。
【図３】本発明の実施例に係る被覆電線引留金具に使用する電線保持具と把持具の別の組み合わせを示す図（Ａ、Ｂ）と把持具における断面図（Ｃ）。
【図４】本発明の実施例に係る被覆電線引留金具の外観図。
【図５】本発明の実施例に係る別の被覆電線引留金具の外観図（Ａ〜Ｃ）。
【図６】本発明の実施例の被覆電線引留金具により電線引留めの使用状態を示す外観図（Ａ、Ｂ）。
【符号の説明】
【００２８】
１    電線保持具
１１  電線把持部
１２  折返し係止部
２    引留めフック
２２  フック折返し部
３    嵌め具  
３７  周溝
３８  貫通孔  
６    被覆電線
【図１】
2006187141.tif 000003
【図２】
2006187141.tif 000004
【図３】
2006187141.tif 000005
【図４】
2006187141.tif 000006
【図５】
2006187141.tif 000007
【図６】
2006187141.tif 000008